(57)【特許請求の範囲】
【請求項１】
物体側から観察側へ順に配置された、正の屈折力の第１レンズ、負の屈折力の第２レンズ、正の屈折力の第３レンズ、負の屈折力の第４レンズ、正の屈折力の第５レンズから成る接眼レンズであって、
前記第５レンズの焦点距離は前記第３レンズの焦点距離よりも短く、前記第３レンズの焦点距離は前記第１レンズの焦点距離よりも短く、
前記接眼レンズの焦点距離をｆ、前記第５レンズの焦点距離をｆ５としたとき、
０．５３＜ｆ５／ｆ＜０．９５
なる条件式を満足することを特徴とする接眼レンズ。
【請求項２】
前記第１レンズの焦点距離をｆ１、前記第３レンズの焦点距離をｆ３としたとき、
１．００＜ｆ１／ｆ３＜３．１５
なる条件式を満足することを特徴とする請求項１に記載の接眼レンズ。
【請求項３】
前記第３レンズの焦点距離をｆ３としたとき、
１．００＜ｆ３／ｆ５＜３．３３
なる条件式を満足することを特徴とする請求項１または２に記載の接眼レンズ。
【請求項４】
前記第２レンズのｄ線を基準としたアッベ数をνｄ２としたとき、
５．０＜νｄ２＜２９．２
なる条件式を満足することを特徴とする請求項１乃至３のいずれか一項に記載の接眼レンズ。
【請求項５】
物体側から観察側へ順に配置された、正の屈折力の第１レンズ、負の屈折力の第２レンズ、正の屈折力の第３レンズ、負の屈折力の第４レンズ、正の屈折力の第５レンズから成り、
前記第５レンズの焦点距離は前記第３レンズの焦点距離よりも短く、前記第３レンズの焦点距離は前記第１レンズの焦点距離よりも短く、
前記第２レンズのｄ線を基準としたアッベ数をνｄ２としたとき、
５．０＜νｄ２＜２９．２
なる条件式を満足することを特徴とする接眼レンズ。
【請求項６】
前記第４レンズのｄ線を基準としたアッベ数をνｄ４としたとき、
５．０＜νｄ４＜２９．２
なる条件式を満足することを特徴とする請求項１乃至５のいずれか一項に記載の接眼レンズ。
【請求項７】
物体側から観察側へ順に配置された、正の屈折力の第１レンズ、負の屈折力の第２レンズ、正の屈折力の第３レンズ、負の屈折力の第４レンズ、正の屈折力の第５レンズから成り、
前記第５レンズの焦点距離は前記第３レンズの焦点距離よりも短く、前記第３レンズの焦点距離は前記第１レンズの焦点距離よりも短く、
前記第４レンズのｄ線を基準としたアッベ数をνｄ４としたとき、
５．０＜νｄ４＜２９．２
なる条件式を満足することを特徴とする接眼レンズ。
【請求項８】
視度調整に際して、前記第１レンズ、前記第２レンズ、前記第３レンズ、前記第４レンズ、前記第５レンズが一体として移動することを特徴とする請求項１乃至７のいずれか一項に記載の接眼レンズ。
【請求項９】
画像を表示する画像表示面を備える画像表示素子と、前記画像表示素子の画像表示面側に設けられた請求項１乃至８のいずれか一項に記載の接眼レンズとを有することを特徴とする観察装置。
【請求項１０】
前記接眼レンズの焦点距離をｆ、前記画像表示面の対角長をＨとしたとき、
０．５２＜Ｈ／ｆ＜０．９１
なる条件式を満足することを特徴とする請求項９に記載の観察装置。
【請求項１１】
画像を表示する画像表示面を備える画像表示素子と、
前記画像表示素子の画像表示面側に設けられた接眼レンズと、
を有し、
前記接眼レンズは、物体側から観察側へ順に配置された、正の屈折力の第１レンズ、負の屈折力の第２レンズ、正の屈折力の第３レンズ、負の屈折力の第４レンズ、正の屈折力の第５レンズから成り、
前記第５レンズの焦点距離は前記第３レンズの焦点距離よりも短く、前記第３レンズの焦点距離は前記第１レンズの焦点距離よりも短く、
前記接眼レンズの焦点距離をｆ、前記画像表示面の対角長をＨとしたとき、
０．５２＜Ｈ／ｆ＜０．９１
なる条件式を満足することを特徴とする観察装置。
【請求項１２】
画像を撮像する撮像素子と、
前記撮像素子によって撮像された画像を表示する画像表示面を備える画像表示素子と、前記画像表示素子の画像表示面側に設けられた請求項１乃至８のいずれか一項に記載の接眼レンズと、
を有することを特徴とする撮像装置。
【請求項１３】
前記画像表示面の対角長をＨ、前記接眼レンズの焦点距離をｆとしたとき、
０．５２＜Ｈ／ｆ＜０．９１
なる条件式を満足することを特徴とする請求項１２に記載の撮像装置。
【請求項１４】
画像を撮像する撮像素子と、
前記撮像素子によって撮像された画像を表示する画像表示面を備える画像表示素子と、前記画像表示素子の画像表示面側に設けられた接眼レンズと、
を有し、
前記接眼レンズは、物体側から観察側へ順に配置された、正の屈折力の第１レンズ、負の屈折力の第２レンズ、正の屈折力の第３レンズ、負の屈折力の第４レンズ、正の屈折力の第５レンズから成り、
前記第５レンズの焦点距離は前記第３レンズの焦点距離よりも短く、前記第３レンズの焦点距離は前記第１レンズの焦点距離よりも短く、
前記接眼レンズの焦点距離をｆ、前記画像表示面の対角長をＨとしたとき、
０．５２＜Ｈ／ｆ＜０．９１
なる条件式を満足することを特徴とする撮像装置。
【発明の詳細な説明】
【技術分野】
【０００１】
本発明は、接眼レンズ及びそれを有する観察装置に関し、例えばビデオカメラ、スチルカメラ、放送用カメラに用いられる電子ビューファインダーにおいて、画像表示素子に表示される画像を観察するのに好適なものである。
【背景技術】
【０００２】
従来、ビデオカメラや放送用カメラ等の光学機器に用いられる電子ビューファインダーには、カメラ内部に備え付けられた液晶画面に表示した画像を拡大観察するための接眼レンズが備えられている。
【０００３】
近年、撮像装置の高機能化等に伴い、視界が広く、画像を大きく映し出すことができる電子ビューファインダーが求められている。こうした要望を実現するための方法として、液晶画面等の画像表示面を大きくする方法や、接眼レンズの観察倍率を高くする方法がある。
【０００４】
ここで、画像表示面を大きくすると、ファインダーの大型化を招くため、ファインダー全体としての小型化を図るためには、接眼レンズの観察倍率を高くすることが好ましい。接眼レンズの観察倍率を高くするためには、接眼レンズにおける正の屈折力を強くする必要がある。ここで、正の屈折力のレンズ（正レンズ）のみで接眼レンズを構成すると、軸上色収差や倍率色収差等が多く発生し、これらを補正することが困難となる。このため、接眼レンズの観察倍率を高めつつ、高精細な観察像を得るためには、正レンズに加えて負の屈折力のレンズ（負レンズ）を用いて接眼レンズを構成することが好ましい。これにより、軸上色収差や倍率色収差が良好に補正された観察像を得ることができる。
【０００５】
また、ユーザがメガネを掛けた状態でも使用できるような、アイレリーフの長いファインダーが求められている。
【０００６】
特許文献１は、画像表示面側から観察側（アイポイント側）へ順に、正レンズ、負レンズ、正レンズ、負レンズ、正レンズから構成される接眼レンズを開示している。正レンズを複数枚用いることで、焦点距離が短く、アイレリーフの長い接眼レンズの実現を図っている。
【０００７】
特許文献２の接眼レンズは、画像表示面側から観察側（アイポイント側）へ順に、正レンズ、正レンズ、負レンズ、正レンズ、正レンズから構成される。正レンズを４枚用いることで視野角の拡大を図っている。
【先行技術文献】
【特許文献】
【０００８】
【特許文献１】特開２００１−２７２６１０号公報
【特許文献２】特許第３３０６１３４号公報
【発明の概要】
【発明が解決しようとする課題】
【０００９】
上記のように、アイレリーフが長く、広視野角の接眼レンズを実現するために、正レンズと負レンズを少なくとも１枚ずつ用いて、全体として５枚のレンズから構成される接眼レンズが知られている。
【００１０】
特許文献１の接眼レンズでは、３枚の正レンズの中で画像表示面側から２番目に配置された正レンズ（第２正レンズ）の屈折力が最も強く、第２正レンズにおいて発生するコマ収差や高次収差を良好に補正することが困難である。
【００１１】
特許文献２の接眼レンズは、５枚のレンズのうち４枚が正レンズであり、軸上色収差や倍率色収差を良好に補正することが困難である。
【００１２】
本発明は、アイレリーフが長く、広視野角かつ小型であり、高い光学性能を有する接眼レンズ及びそれを有する観察装置、撮像装置を提供することを目的とする。
【課題を解決するための手段】
【００１３】
本発明の接眼レンズは、画像表示面側から観察側へ順に配置された、正の屈折力の第１レンズ、負の屈折力の第２レンズ、正の屈折力の第３レンズ、負の屈折力の第４レンズ、正の屈折力の第５レンズから成る接眼レンズであって、前記第５レンズの焦点距離は前記第３レンズの焦点距離よりも短く、前記第３レンズの焦点距離は前記第１レンズの焦点距離よりも短く、前記接眼レンズの焦点距離をｆ、前記第５レンズの焦点距離をｆ５としたとき、
０．５３＜ｆ５／ｆ＜０．９５
なる条件式を満足することを特徴とする。
また、本発明の他の接眼レンズは、物体側から観察側へ順に配置された、正の屈折力の第１レンズ、負の屈折力の第２レンズ、正の屈折力の第３レンズ、負の屈折力の第４レンズ、正の屈折力の第５レンズから成り、前記第５レンズの焦点距離は前記第３レンズの焦点距離よりも短く、前記第３レンズの焦点距離は前記第１レンズの焦点距離よりも短く、前記第２レンズのｄ線を基準としたアッベ数をνｄ２としたとき、
５．０＜νｄ２＜２９．２
なる条件式を満足することを特徴とする。
また、本発明の他の接眼レンズは、物体側から観察側へ順に配置された、正の屈折力の第１レンズ、負の屈折力の第２レンズ、正の屈折力の第３レンズ、負の屈折力の第４レンズ、正の屈折力の第５レンズから成り、前記第５レンズの焦点距離は前記第３レンズの焦点距離よりも短く、前記第３レンズの焦点距離は前記第１レンズの焦点距離よりも短く、前記第４レンズのｄ線を基準としたアッベ数をνｄ４としたとき、
５．０＜νｄ４＜２９．２
なる条件式を満足することを特徴とする。
また、本発明の一つの観察装置は、画像を表示する画像表示面を備える画像表示素子と、前記画像表示素子の画像表示面側に設けられた接眼レンズと、を有し、前記接眼レンズは、物体側から観察側へ順に配置された、正の屈折力の第１レンズ、負の屈折力の第２レンズ、正の屈折力の第３レンズ、負の屈折力の第４レンズ、正の屈折力の第５レンズから成り、前記第５レンズの焦点距離は前記第３レンズの焦点距離よりも短く、前記第３レンズの焦点距離は前記第１レンズの焦点距離よりも短く、前記接眼レンズの焦点距離をｆ、前記画像表示面の対角長をＨとしたとき、
０．５２＜Ｈ／ｆ＜０．９１
なる条件式を満足することを特徴とする。
また、本発明の一つの撮像装置は、画像を撮像する撮像素子と、前記撮像素子によって撮像された画像を表示する画像表示面を備える画像表示素子と、前記画像表示素子の画像表示面側に設けられた接眼レンズと、を有し、前記接眼レンズは、物体側から観察側へ順に配置された、正の屈折力の第１レンズ、負の屈折力の第２レンズ、正の屈折力の第３レンズ、負の屈折力の第４レンズ、正の屈折力の第５レンズから成り、前記第５レンズの焦点距離は前記第３レンズの焦点距離よりも短く、前記第３レンズの焦点距離は前記第１レンズの焦点距離よりも短く、前記接眼レンズの焦点距離をｆ、前記画像表示面の対角長をＨとしたとき、
０．５２＜Ｈ／ｆ＜０．９１
なる条件式を満足することを特徴とする。
【発明の効果】
【００１４】
本発明によれば、アイレリーフが長く、広視野角かつ小型であり、高い光学性能を有する接眼レンズが得られる。
【図面の簡単な説明】
【００１５】
【図１】本発明の実施例１の接眼レンズのレンズ断面図
【図２】本発明の実施例１の接眼レンズの各収差図
【図３】本発明の実施例２の接眼レンズのレンズ断面図
【図４】本発明の実施例２の接眼レンズの各収差図
【図５】本発明の実施例３の接眼レンズのレンズ断面図
【図６】本発明の実施例３の接眼レンズの各収差図
【図７】本発明の実施例４の接眼レンズのレンズ断面図
【図８】本発明の実施例４の接眼レンズの各収差図
【図９】本発明の撮像装置の要部概略図
【図１０】光学系の屈折力配置と光路の関係図
【図１１】光学系の主点位置と光路の関係図
【発明を実施するための形態】
【００１６】
以下、本発明の接眼レンズ及びそれを有する観察装置、撮像装置について添付の図面に基づいて詳細に説明する。本発明の接眼レンズは物体側（画像表示面側）より観察側（アイポイント側）へ順に、正の屈折力の第１レンズ、負の屈折力の第２レンズ、正の屈折力の第３レンズ、負の屈折力の第４レンズ、正の屈折力の第５レンズから構成される。
【００１７】
図１は、実施例１の接眼レンズの視度が−２．０ディオプター（基準状態）、２．５ディオプター、−６．０ディオプターのときのレンズ断面図である。図２は、実施例１の接眼レンズの基準状態における収差図である。図３は、実施例２の接眼レンズの視度が−２．０ディオプター（基準状態）、０．７ディオプター、−３．３ディオプターのときのレンズ断面図である。図４は、実施例２の接眼レンズの基準状態における収差図である。
【００１８】
図５は、実施例３の接眼レンズの視度が−２．０ディオプター（基準状態）、２．０ディオプター、−４．０ディオプターのときのレンズ断面図である。図６は、実施例３の接眼レンズの基準状態における収差図である。図７は、実施例４の接眼レンズの視度が−２．０ディオプター（基準状態）、２．０ディオプター、−４．０ディオプターのときのレンズ断面図である。図８は、実施例４の接眼レンズの基準状態における収差図である。
【００１９】
図９は本発明の接眼レンズを備える撮像装置の要部概略図である。図１０は、光学系の屈折力配置により光路が変化することを示す図である。図１１は、光学系の主点位置が変化することにより光路が変化することを示す図である。
【００２０】
各実施例の接眼レンズは、例えばデジタルカメラやビデオカメラ等の撮像装置の電子ビューファインダーに用いられる。レンズ断面図において左方は画像表示面側、右方は観察側である。レンズ断面図においてＬは接眼レンズである。Ｉは、液晶素子や有機ＥＬ素子等の画像表示素子の画像表示面である。接眼レンズＬは、正の屈折力の第１レンズＧ１、負の屈折力の第２レンズＧ２、正の屈折力の第３レンズＧ３、負の屈折力の第４レンズＧ４、正の屈折力の第５レンズＧ５より構成される。ＥＰは、ユーザが表示面に表示された像を観察するためのアイポイントである。
【００２１】
なお、画像表示面Ｉから第１レンズＧ１の画像表示面側のレンズ面までの間に、画像表示面やレンズを保護するためのプレート等を設けても良い。また、接眼レンズＬとアイポイントＥＰの間に、レンズを保護するためのプレート等を設けても良い。ここで、画像表示面Ｉから出射された軸外光線が、観察者の瞳を通過することができる範囲で、アイポイントＥＰを光軸方向に移動させてもよい。
【００２２】
各収差図では、ファインダー視度が基準状態であるときに各実施例の接眼レンズにおいて発生する収差を示している。
【００２３】
球面収差図においては、ｄ線（波長５８７．６ｎｍ）、ｇ線（波長４３５．８ｎｍ）に対する球面収差を示している。非点収差図におけるＳはサジタル像面での非点収差を示し、Ｍは、メリディオナル像面での非点収差を示している。歪曲収差はｄ線について示している。倍率色収差図ではｇ線における倍率色収差を示している。
【００２４】
続いて、接眼レンズの屈折力配置と、接眼レンズを透過する光線の経路の関係について図１０及び図１１を用いて説明する。
【００２５】
まず、図１０を用いて、接眼レンズの最も画像表示面側に正レンズを配置した光学系における光線の経路と、接眼レンズの最も画像表示面側に負レンズを配置した光学系における光線の経路を比較する。図１０（Ａ）は、接眼レンズの最も画像表示面側に正レンズを配置した光学系における光線の経路を示している。図１０（Ｂ）は、接眼レンズの最も画像表示面側に負レンズを配置した光学系における光線の経路を示している。
【００２６】
図１０（Ａ）、（Ｂ）に示すように、接眼レンズの中で最も画像表示面側に配置されるレンズ（以下、画像表示面側レンズと記載する）の有効径は、画像表示面の大きさに依存する。さらに、アイポイントＥＰと視野角ωとアイレリーフ長により、接眼レンズの中で最も観察側に配置されるレンズ（以下、観察側レンズと記載する）の有効径が定められる。このように、画像表示面側レンズや観察側レンズの有効径はファインダーの仕様に応じて決定される。
【００２７】
また、接眼レンズを電子ビューファインダーに用いる場合、画像表示面から出射して、画像表示面側レンズに入射する光の角度（画像射出角）をできる限り小さくすることが好ましい。液晶等の画像表示面から斜めに出射する光は輝度が低下しやすいからである。
【００２８】
一方、画像表示面側レンズと観察側レンズの間に配置されるレンズ（以下、中間レンズと記載する）の有効径は、光学系の屈折力配置に応じて変化する。図１０（Ａ）のように、画像表示面側レンズと観察側レンズを正レンズとすると、画像表示面から出射した光線が画像表示面側レンズにおいて収斂光となるため、中間レンズの有効径は、画像表示面側レンズや観察側レンズの有効径よりも小さくなる。これに対して、図１０（Ｂ）のように、画像表示面側レンズと観察側レンズを負レンズとすると、画像表示面から出射した光線が画像表示面側レンズにおいて発散光となる。その結果、中間レンズの有効径は、画像表示面側レンズや観察側レンズの有効径よりも大きくなる。
【００２９】
以上のように、中間レンズの有効径を小さくするためには、画像表示面側レンズや観察側レンズの屈折力が正となるように光学系を構成することが好ましい。
【００３０】
続いて、図１１を用いて、光学系の観察側主点位置が変化することにより、観察側主点位置における軸外光線の高さが変化することを説明する。図１１は、画像表示面側から観察側へ順に正の屈折力の第１レンズ、負の屈折力の第２レンズ、正の屈折力の第３レンズが配置された光学系を模式的に示している。図１１（Ａ）は、第３レンズの屈折力を第１レンズの屈折力よりも強くした光学系において、平行光を入射させたときの光路を示している。図１１（Ｂ）は、第３レンズの屈折力を第１レンズの屈折力よりも弱くした光学系において、平行光を入射させたときの光路を示している。なお、図１１（Ａ）、（Ｂ）では、アイレリーフと視野角を同一としている。
【００３１】
図１１（Ａ）、（Ｂ）を比較すると、第３レンズの屈折力を第１レンズの屈折力よりも弱くすることにより、光学系の観察側主点位置が画像表示面側に移動し、観察側主点位置における光線の高さが高くなることがわかる。
【００３２】
以上のように、観察側に配置された正レンズの屈折力を強めることにより、光学系の観察側主点位置を観察側に移動させることができる。これにより、観察側主点位置における光線の高さを低くすることができ、観察側主点位置付近に配置されるレンズの有効径を小さくすることができる。
【００３３】
また、アイレリーフが長く、広視野角の接眼レンズを実現しようとすると、観察像が不鮮明になるおそれが生じる。本発明では、正レンズを３枚、負レンズを２枚用いて接眼レンズを構成することにより、軸上色収差や倍率色収差が良好に補正された、高精細な観察像を得ることができる。
【００３４】
以上より、本発明では、画像表示面側から観察側へ順に、正の屈折力の第１レンズＧ１、負の屈折力の第２レンズＧ２、正の屈折力の第３レンズＧ３、負の屈折力の第４レンズＧ４、正の屈折力の第５レンズＧ５により接眼レンズを構成している。
【００３５】
さらに、本発明では、３枚の正レンズを、画像表示面側から観察側へ順に屈折力が強くなるように配置している。これにより、接眼レンズの観察側主点位置を観察側に移動させて、観察側主点位置付近に配置されるレンズの有効径を小さくすることができる。また、正レンズを３枚用いることにより、軸外光線を緩やかに屈折させることができ、その結果、コマ収差や高次収差の発生を抑制することができる。
【００３６】
ここで、各実施例の接眼レンズＬでは、第１レンズＧ１から第５レンズＧ５の全てのレンズを、光軸方向に一体的に移動させることにより視度調整を行うことができる。各レンズを一体的に移動させることにより、視度変化に伴うコマ収差の変動を小さくすることができる。
【００３７】
さらに、各実施例において、次の条件式のうち１つ以上を満足することがより好ましい。
【００３８】
各実施例において、第１レンズＧ１の焦点距離をｆ１、第３レンズＧ３の焦点距離をｆ３、第５レンズＧ５の焦点距離をｆ５、接眼レンズ全系の焦点距離をｆとする。さらに、第２レンズＧ２の材料のｄ線を基準としたアッベ数をνｄ２、第４レンズＧ４の材料のｄ線を基準としたアッベ数をνｄ４としたとき、
１．００＜ｆ１／ｆ３＜３．１５…（１）
１．００＜ｆ３／ｆ５＜３．３３…（２）
０．５３＜ｆ５／ｆ＜０．９５…（３）
５．０＜νｄ２＜２９．２…（４）
５．０＜νｄ４＜２９．２…（５）
なる条件式のうち１つ以上を満足するのがよい。
【００３９】
ここで、アッベ数νｄは、Ｆ線（４８６．１ｎｍ）、Ｃ線（６５６．３ｎｍ）、ｄ線（５８７．６ｎｍ）に対する材料の屈折率をそれぞれＮＦ、ＮＣ、Ｎｄとするとき、
νｄ＝（Ｎｄ−１）／（ＮＦ−ＮＣ）
で表される数値である。
【００４０】
条件式（１）は、第１レンズＧ１の焦点距離ｆ１と第３レンズＧ３の焦点距離ｆ３との比を規定した条件式である。条件式（１）の上限値を超えると、第３レンズＧ３の正の屈折力が強くなり過ぎて、第３レンズＧ３においてコマ収差や高次収差が多く発生するため好ましくない。
【００４１】
条件式（１）の下限値を超えると、第１レンズＧ１の屈折力が第３レンズＧ３の屈折力よりも強くなり、接眼レンズの観察側の主点位置が画像表示面側へ移動する。その結果、観察側の主点位置付近に配置されるレンズの有効径が大きくなるため好ましくない。
【００４２】
条件式（２）は、第３レンズＧ３の焦点距離ｆ３と第５レンズＧ５の焦点距離ｆ５との比を規定した条件式である。条件式（２）の上限値を超えると、第５レンズＧ５の正の屈折力が強くなり過ぎて、第５レンズＧ５においてコマ収差や高次収差が多く発生するため好ましくない。
【００４３】
条件式（２）の下限値を超えると、第３レンズＧ３の屈折力が第５レンズＧ５の屈折力よりも強くなり、接眼レンズの観察側の主点位置が画像表示面側へ移動する。その結果、観察側の主点位置付近に配置されるレンズの有効径が大きくなるため好ましくない。
【００４４】
条件式（３）は、第５レンズＧ５の焦点距離ｆ５と接眼レンズ全系の焦点距離ｆとの比を規定した条件式である。条件式（３）の上限値を超えると、第５レンズＧ５の正の屈折力が弱くなり過ぎて、接眼レンズの観察側の主点位置が画像表示面側へ移動する。その結果、観察側の主点位置付近に配置されるレンズの有効径が大きくなるため好ましくない。
【００４５】
条件式（３）の下限値を超えると、第５レンズＧ５の正の屈折力が強くなり過ぎて、第５レンズＧ５においてコマ収差や高次収差が多く発生するため好ましくない。
【００４６】
条件式（４）は、第２レンズＧ２の材料のｄ線を基準としたアッベ数νｄ２を規定した条件式である。全体として正の屈折力を有する接眼レンズにおいて、高分散の材料を用いた負レンズを配置することにより、色収差を良好に補正している。
【００４７】
条件式（４）の下限値を超えてアッベ数νｄ２が小さくなると、色収差が過剰に補正されることになり好ましくない。また、レンズ材料として選択可能な樹脂材料が限定されてしまうため好ましくない。条件式（４）の上限値を超えてアッベ数νｄ２が大きくなると、接眼レンズにおいて色収差を十分に補正することが困難になるため、好ましくない。
【００４８】
条件式（５）は、第４レンズＧ４の材料のｄ線を基準としたアッベ数νｄ４を規定した条件式である。全体として正の屈折力を有する接眼レンズにおいて、高分散の材料を用いた負レンズを配置することにより、色収差を良好に補正している。
【００４９】
条件式（５）の下限値を超えてアッベ数νｄ４が小さくなると、色収差が過剰に補正されることになり好ましくない。また、レンズ材料として選択可能な樹脂材料が限定されてしまうため好ましくない。条件式（５）の上限値を超えてアッベ数νｄ４が大きくなると、接眼レンズにおいて色収差を十分に補正することが困難になるため、好ましくない。
【００５０】
なお、各実施例において、好ましくは条件式（１）〜（５）の数値範囲を次のようにするのがよい。
１．０２＜ｆ１／ｆ３＜３．０１…（１ａ）
１．０２＜ｆ３／ｆ５＜３．１８…（２ａ）
０．６１＜ｆ５／ｆ＜０．９０…（３ａ）
１０．０＜νｄ２＜２７．８…（４ａ）
１０．０＜νｄ４＜２７．８…（５ａ）
【００５１】
また、更に好ましくは条件式（１）〜（５）の数値範囲を次の如く設定するのが良い。
１．０５＜ｆ１／ｆ３＜２．９５…（１ｂ）
１．１０＜ｆ３／ｆ５＜３．１０…（２ｂ）
０．６３＜ｆ５／ｆ＜０．８８…（３ｂ）
１５．０＜νｄ２＜２７．０…（４ｂ）
１５．０＜νｄ４＜２７．０…（５ｂ）
【００５２】
また、画像表示面Ｉに表示される画像情報を観察する観察装置に各実施例の接眼レンズＬを用いるときには、次の条件式を満足するのが良い。
０．５２＜Ｈ／ｆ＜０．９１…（６）
【００５３】
ここで、画像表示面Ｉの対角長をＨとする。
【００５４】
条件式（６）は、画像表示面Ｉの対角長Ｈと、接眼レンズの焦点距離ｆの比を規定した条件式である。
【００５５】
条件式（６）の下限値を超えて接眼レンズの焦点距離ｆが長くなり過ぎると、視野角が狭くなり過ぎてしまうため好ましくない。
【００５６】
条件式（６）の上限値を超えて接眼レンズの焦点距離ｆが短くなり過ぎると、観察側に配置されたレンズの有効径が大きくなり過ぎる。その結果、観察側に配置されたレンズにおいて、コマ収差や非点収差等の軸外収差が多く発生するため好ましくない。
【００５７】
なお、各実施例において、好ましくは条件式（６）の数値範囲を次のようにするのがよい。
０．５６＜Ｈ／ｆ＜０．８７…（６ａ）
【００５８】
また、更に好ましくは条件式（６）の数値範囲を次の如く設定するのが良い。
０．６０＜Ｈ／ｆ＜０．８５…（６ｂ）
【００５９】
次に、本発明の実施例１〜４にそれぞれ対応する数値実施例１〜４を示す。各数値実施例において、ｉは画像表示面側からの光学面の順序を示す。ｒｉは第ｉ番目の光学面（第ｉ面）の曲率半径、ｄｉは第ｉ面と第ｉ＋１面との間の間隔、ｎｄｉとνｄｉはそれぞれｄ線に対する第ｉ番目の光学部材の材料の屈折率、アッベ数を示す。ｒ１は画像表示面を示し、ｒ２は、画像表示面を保護するためのプレートの観察側の面を示す。最も観察側の面はアイポイントＥＰを示す。
【００６０】
また、Ｋを離心率、Ａ４、Ａ６を非球面係数、光軸からの高さｈの位置での光軸方向の変位を面頂点を基準にしてｘとするとき、非球面形状は、
ｘ＝（ｈ２／Ｒ）／［１＋［１−（１＋Ｋ）（ｈ／Ｒ）２］１／２］＋Ａ４ｈ４＋Ａ６ｈ６＋Ａ８ｈ８
で表示される。但しＲは近軸曲率半径である。面番号の右側に＊を付した面は、非球面であることを示す。また「ｅ−Ｚ」の表示は「１０−Ｚ」を意味する。
【００６１】
［数値実施例１］
単位 mm
面データ
面番号       r        d      nd         νd
1          ∞       0.70   1.51000    60.0
2          ∞     (可変)
3        -65.737    3.95   2.00069    25.5
4        -22.170    3.52
5*       -14.334    3.00   1.63550    23.8
6*       110.330    0.30
7*        48.492    6.84   1.53110    55.9
8*       -21.874    1.20
9*       128.789    1.41   1.63550    23.8
10*        22.276    1.20
11         39.057    8.21   1.83481    42.7
12        -39.057   27.00
13  (アイポイント)
非球面データ
第5面
K =-7.28787e-001  A 4=-6.03675e-005  A 6= 1.77471e-007
第6面
K = 4.51650e+001  A 4=-1.11796e-005  A 6=-6.19143e-008
第7面
K =-4.38548e+000  A 4=-2.38798e-005  A 6=-2.65742e-008
第8面
K =-1.22703e+000  A 4=-4.69821e-006  A 6= 3.91413e-008
第9面
K =-2.69921e+002  A 4=-1.52881e-007  A 6=-4.63945e-009
第10面
K =-4.63925e+000  A 4= 4.39848e-006  A 6= 5.19693e-010
各種データ
視度[diopter] -2.0     +2.5      -6.0
焦点距離      28.56    28.56    28.56
d 2            9.12    12.79     5.80
【００６２】
［数値実施例２］
単位 mm
面データ
面番号       r        d      nd         νd
1          ∞       0.70   1.51000    60.0
2          ∞     (可変)
3        -65.913    3.14   2.00069    25.5
4        -48.248   10.11
5        -34.250    3.19   1.76182    26.5
6      -1000.301    1.69
7*     -4010.368    6.95   1.58313    59.4
8*       -44.146    1.21
9*       161.388    5.20   1.63550    23.8
10*        44.387    1.20
11         64.814    8.88   1.83481    42.7
12        -64.313   27.00
13  (アイポイント)
非球面データ
第7面
K = 1.33592e+004  A 4=-7.84416e-006  A 6= 7.50739e-009
第8面
K =-6.98689e-001  A 4= 3.30466e-006  A 6=-8.53288e-009
第9面
K =-2.65944e+002  A 4=-3.33664e-006  A 6=-9.10796e-009
第10面
K =-9.09514e+000  A 4=-5.30646e-006  A 6= 3.91499e-009
各種データ
視度[diopter] -2.0     +0.7      -3.3
焦点距離      61.32    61.32    61.32
d 2           21.46    31.12    17.55
【００６３】
［数値実施例３］
単位 mm
面データ
面番号       r        d      nd         νd
1          ∞       0.70   1.51000    60.0
2          ∞     (可変)
3       -158.559    2.41   2.00069    25.5
4        -77.911   20.00
5        -30.833    8.00   1.95906    17.5
6        -72.834    3.39
7        188.533    7.00   1.83481    42.7
8        -56.340    1.20
9         40.450    1.71   1.84666    23.8
10         23.822    1.20
11         25.956    4.79   1.91082    35.3
12         64.549   27.00
13  (アイポイント)
各種データ
視度[diopter] -2.0     +2.0      -4.0
焦点距離      52.34    52.34    52.34
d 2           11.05    21.99     6.18
【００６４】
［数値実施例４］
単位 mm
面データ
面番号       r        d      nd         νd
1          ∞       0.70   1.51000    60.0
2          ∞     (可変)
3*       -98.827   11.19   1.85135    40.1
4*       -71.371   20.00
5*       -49.765    3.00   1.63550    23.8
6*      -407.575    1.11
7*     -1171.461    7.94   1.49171    57.4
8*       -82.367    1.20
9*       219.883    3.76   1.63550    23.8
10*        74.863    1.23
11*        95.021    8.12   1.80610    40.7
12*       -92.616   27.00
13  (アイポイント)
非球面データ
第3面
K = 4.54099e-001  A 4= 3.40725e-008  A 6= 7.53032e-011  A 8=-1.51639e-013
第4面
K = 3.40970e-001  A 4= 8.48720e-008  A 6=-4.76459e-011  A 8= 1.79616e-014
第5面
K = 3.53841e-001
第6面
K =-1.00057e+003
第7面
K =-2.99780e+003  A 4=-5.75156e-006  A 6= 7.03535e-009
第8面
K =-1.18365e+000  A 4= 4.34382e-006  A 6=-5.53385e-009
第9面
K = 1.75400e+001  A 4=-2.52412e-006  A 6=-7.75632e-009
第10面
K =-1.05760e+001  A 4=-6.88282e-006  A 6= 3.02568e-009
第11面
K = 3.83428e+000
第12面
K = 1.63448e+000
各種データ
視度[diopter] -2.0     +2.0      -4.0
焦点距離      91.98    91.98    91.98
d 2           31.59    66.08    20.00
【００６５】
次に、各実施例の接眼レンズを用いたファインダーの特性を以下に示す。実施例１の接眼レンズを含むファインダーは、画像表示面の対角長Ｈ＝１８．２ｍｍ、アイレリーフ２７．０ｍｍ、視野角３５．７度である。実施例２の接眼レンズを含むファインダーは、画像表示面の対角長Ｈ＝５０．８ｍｍ、アイレリーフ２７．０ｍｍ、視野角４８．９度である。
【００６６】
また、実施例３の接眼レンズを含むファインダーは、画像表示面の対角長Ｈ＝３８．１ｍｍ、アイレリーフ２７．０ｍｍ、視野角４２．１度である。実施例４の接眼レンズを含むファインダーは、画像表示面の対角長Ｈ＝７６．２ｍｍ、アイレリーフ２７．０ｍｍ、視野角５１．２度である。
【００６７】
続いて、各数値実施例における上述した条件式の数値を表１に示す。
【００６８】
【表１】
0006391371.tif 000002
【００６９】
次に、各実施例に示した接眼レンズを用いたビデオカメラの実施形態について、図９を用いて説明する。
【００７０】
図９において、１０はビデオカメラ本体であり、１１は、不図示の撮像素子上に被写体像を形成する撮像光学系、１２は集音マイクである。１３は、不図示の画像表示素子に表示された被写体像を、本発明の接眼レンズを介して観察するための観察装置（電子ビューファインダー）である。画像表示素子は液晶パネル等により構成され、画像表示素子には、撮影光学系１１によって形成された物体像等が表示される。
【００７１】
このように本発明の接眼レンズを、ビデオカメラ等の撮像装置に適用することにより、広視野角かつ小型であり、高い光学性能を有する撮像装置を得ることができる。
【符号の説明】
【００７２】
Ｌ  接眼レンズ
Ｇ１  第１レンズ
Ｇ２  第２レンズ
Ｇ３  第３レンズ
Ｇ４  第４レンズ
Ｇ５  第５レンズ
Ｉ    画像表示面
ＥＰ  アイポイント
【図１】
0006391371.tif 000003
【図２】
0006391371.tif 000004
【図３】
0006391371.tif 000005
【図４】
0006391371.tif 000006
【図５】
0006391371.tif 000007
【図６】
0006391371.tif 000008
【図７】
0006391371.tif 000009
【図８】
0006391371.tif 000010
【図９】
0006391371.tif 000011
【図１０】
0006391371.tif 000012
【図１１】
0006391371.tif 000013